(57)【要約】【課題】昇圧回路を設けることなく、表示部のちらつきを防止することができる携帯端末１００を提供する。【解決手段】携帯端末１００は、ＬＥＤ１４１を含むバックライト１１４、バッテリ１１１、無負荷状態におけるバッテリ１１１の電圧値範囲と、ＬＥＤ１４１の順電圧−順電流特性において前記電圧値範囲に対応する特性電流値より小さい電流値とを記憶している記憶部１１５、バッテリ１１１の、現時点における負荷による電圧降下後の電圧値を取得する取得部１３７、取得された前記電圧値が前記電圧値範囲内に存在するか否かを判断する判断部１３８、前記電圧値範囲内に存在する場合、当該電圧値範囲に対応する前記電流値により示される定電流をＬＥＤ１４１に供給するよう制御する供給制御部１３９、前記定電流をＬＥＤ１４１に供給する定電流回路１３３を備える。【選択図】図２
2015171047.tif 000002
【特許請求の範囲】
【請求項１】
携帯端末の表示部にバックライトとして光を照射するＬＥＤの駆動装置であって、
前記携帯端末の無負荷状態における電池の電圧値範囲と、前記ＬＥＤの順電圧順電流特性において、当該電圧値範囲に対応する特性電流値より小さい電流値とを記憶している記憶部と、
前記電池の、現時点における負荷による電圧降下後の電圧値を取得する取得部と、
取得された前記電圧値が前記電圧値範囲内に存在するか否かを判断する判断部と、
前記電圧値範囲内に存在する場合、前記記憶部から当該電圧値範囲に対応する前記電流値を読み出し、読み出した前記電流値により示される定電流を前記ＬＥＤに供給するよう制御する供給制御部と、
前記電流値により示される定電流を前記ＬＥＤに供給する定電流部と
を備えることを特徴とするＬＥＤの駆動装置。
【請求項２】
前記記憶部に記憶されている前記電流値は、前記電池の電圧値範囲の下限値から前記携帯端末に負荷をかけた場合に生じる電圧降下の最大値を除いた電圧値に対応する特性電流値より小さい電流値である
ことを特徴とする請求項１に記載のＬＥＤの駆動装置。
【請求項３】
前記取得部は、定期的に前記電圧値を取得し、
前記判断部は、前記電圧値の取得の都度、前記判断を行う
ことを特徴とする請求項２に記載のＬＥＤの駆動装置。
【請求項４】
前記取得部は、連続して複数の電圧値を取得し、
前記判断部は、取得された複数の電圧値が前記電圧値範囲内に存在するか否かを判断し、
前記供給制御部は、前記複数の電圧値が、前記電圧値範囲内に存在する場合、前記電流値により示される定電流を前記ＬＥＤに供給するよう制御する
ことを特徴とする請求項２に記載のＬＥＤの駆動装置。
【請求項５】
携帯端末の表示部にバックライトとして光を照射するＬＥＤの駆動装置において用いられる制御方法であって、
前記駆動装置は、前記携帯端末の無負荷状態における電池の電圧値範囲と、前記ＬＥＤの順電圧順電流特性において、当該電圧値範囲に対応する特性電流値より小さい電流値とを記憶している記憶部、及び、前記電流値により示される定電流を前記ＬＥＤに供給する定電流部とを備え、
前記制御方法は、
前記電池の、現時点における負荷による電圧降下後の電圧値を取得し、
取得された前記電圧値が前記電圧値範囲内に存在するか否かを判断し、
前記電圧値範囲内に存在する場合、前記記憶部から当該電圧値範囲に対応する前記電流値を読み出し、読み出した前記電流値により示される定電流を前記ＬＥＤに供給するよう制御する
ことを特徴とする制御方法。
【請求項６】
電池と、
表示部と、
前記表示部にバックライトとして光を照射するＬＥＤと、
前記電池の無負荷状態における電圧値範囲と、前記ＬＥＤの順電圧順電流特性において、当該電圧値範囲に対応する特性電流値より小さい電流値とを記憶している記憶部と、
前記電池の、現時点における負荷による電圧降下後の電圧値を取得する取得部と、
取得された前記電圧値が前記電圧値範囲内に存在するか否かを判断する判断部と、
前記電圧値範囲内に存在する場合、前記記憶部から当該電圧値範囲に対応する前記電流値を読み出し、読み出した前記電流値により示される定電流を前記ＬＥＤに供給するよう制御する供給制御部と、
前記電流値により示される定電流を前記ＬＥＤに供給する定電流部と
を備えることを特徴とする携帯端末。
【発明の詳細な説明】
【技術分野】
【０００１】
本発明は、携帯端末の表示部にバックライトとして光を照射するＬＥＤを駆動制御する技術に関する。
【背景技術】
【０００２】
携帯端末などにおいて、液晶表示装置（Liquid Crystal Display、ＬＣＤ）が広く用いられている。液晶表示装置の背面には、バックライトが配置され、液晶表示装置の輝度をより高くしている。バックライトの光源としては、一般的に白色ＬＥＤ（Light Emitting Diode）が用いられる。
バックライトに用いられるＬＥＤは、一般的に高輝度タイプであり、順方向電圧（Ｖｆ）として、３．３Ｖ程度以上、必要である。一方、携帯端末に搭載される電池は、その電圧が使用とともに低下するという特性を有している。このため、電池から直接ＬＥＤに電圧を供給することは行われず、電池電圧を昇圧する昇圧回路が用いられる（特許文献１）。
【先行技術文献】
【特許文献】
【０００３】
【特許文献１】国際公開第２００８／０５０４０２号
【発明の概要】
【発明が解決しようとする課題】
【０００４】
しかし、上記のように、昇圧回路を設けることにより、装置のコストが上がるという問題がある。
一方、昇圧回路を設けない場合には、以下に示すように、電池電圧は、その使用条件により変動し、この変動がＬＥＤに流れる電流の変動を引き起し、ＬＥＤの光度が変動する。
【０００５】
ＬＥＤのＶｆ−Ｉｆ（順電圧−順電流）特性が図７に示す通りであるとする。ＬＥＤに流す電流を２０ｍＡとし、電池残量の低下により、電池電圧が３．４Ｖとなったとする（３０２）。この場合、図７のＶｆ−Ｉｆ特性によると、ＬＥＤに流してよい電流は、２７ｍＡである（３０３、３０４）。従って、この状態では、問題はない。
ここで、携帯端末の使用条件の変化により、例えば、無線環境の変化や使用しているアプリケーションの変化により、電池電圧が３００ｍＶだけ低下したなら、電池電圧は、３．１Ｖとなる（３０５）。このとき、ＬＥＤに流してよい電流は、Ｖｆ−Ｉｆ特性から、１０ｍＡである（３０６、３０７）。つまり、設定した２０ｍＡの電流ではなく、１０ｍＡの電流しか流せなくなる。１０ｍＡの電流を流すと、２０ｍＡの場合と比較して、ＬＥＤの光度が低下する。次に、電池電圧が元の状態（３．４Ｖ）に戻ったとき（３０２）、ＬＥＤに流してよい電流は、２７ｍＡである（３０３、３０４）。このとき、２０ｍＡの電流をＬＥＤに流すと、ＬＥＤの光度が元の状態に戻る。
【０００６】
この結果、利用者には、携帯端末の表示部がちらついて見えるという問題がある。
本発明は、上記の問題を解決し、昇圧回路を設けることなく、表示部のちらつきを防止することができるＬＥＤの駆動装置、制御方法及び携帯端末を提供することを目的とする。
【課題を解決するための手段】
【０００７】
上記目的を達成するため、本発明の一態様は、携帯端末の表示部にバックライトとして光を照射するＬＥＤの駆動装置であって、前記携帯端末の無負荷状態における電池の電圧値範囲と、前記ＬＥＤの順電圧順電流特性において、当該電圧値範囲に対応する特性電流値より小さい電流値とを記憶している記憶部と、前記電池の、現時点における負荷による電圧降下後の電圧値を取得する取得部と、取得された前記電圧値が前記電圧値範囲内に存在するか否かを判断する判断部と、前記電圧値範囲内に存在する場合、前記記憶部から当該電圧値範囲に対応する前記電流値を読み出し、読み出した前記電流値により示される定電流を前記ＬＥＤに供給するよう制御する供給制御部と、前記電流値により示される定電流を前記ＬＥＤに供給する定電流部とを備えることを特徴とする。
【０００８】
また、本発明の別の一態様は、携帯端末であって、電池と、表示部と、前記表示部にバックライトとして光を照射するＬＥＤと、前記電池の無負荷状態における電圧値範囲と、前記ＬＥＤの順電圧順電流特性において、当該電圧値範囲に対応する特性電流値より小さい電流値とを記憶している記憶部と、前記電池の、現時点における負荷による電圧降下後の電圧値を取得する取得部と、取得された前記電圧値が前記電圧値範囲内に存在するか否かを判断する判断部と、前記電圧値範囲内に存在する場合、前記記憶部から当該電圧値範囲に対応する前記電流値を読み出し、読み出した前記電流値により示される定電流を前記ＬＥＤに供給するよう制御する供給制御部と、前記電流値により示される定電流を前記ＬＥＤに供給する定電流部とを備えることを特徴とする。
【発明の効果】
【０００９】
これらの態様によると、昇圧回路を設けることなく、表示部のちらつきを防止することができる。
【図面の簡単な説明】
【００１０】
【図１】本発明の実施の形態としての携帯端末１００の外観図である。
【図２】携帯端末１００の構成を示すブロック図である。
【図３】制御テーブル１５１のデータ構造の一例を示す。
【図４】制御テーブル１５１を説明するためのデータテーブル２０１である。
【図５】携帯端末１００の動作を示すフローチャートである。
【図６】変形例としての携帯端末１００の動作を示すフローチャートである。
【図７】白色ＬＥＤのＶｆ−Ｉｆ特性の一例を示す。
【発明を実施するための形態】
【００１１】
１．実施の形態
本発明に係る一の実施の形態としての携帯端末１００について説明する。
携帯端末１００は、無線基地局及び携帯電話網を介して、他の携帯端末や携帯電話機との間で、通話、電子メールの送受信又はデータの送受信が可能となるように構成されている。また、携帯端末１００は、各種のアプリケーションプログラムを実行させることにより、そのアプリケーションプログラムが有する機能を果たすことができる。アプリケーションプログラムの例は、ウェブブラウザ、音楽の再生プログラム、カメラによる撮影プログラムなどである。
【００１２】
図１に示すように、携帯端末１００において、表示面が露出するように、液晶パネル部１１０が配置されている。液晶パネル部１１０は、バックライト１１４を備え、バックライト１１４は、液晶パネル部１１０の表示面の背面に光を照射する。
１．１  携帯端末１００
携帯端末１００は、図２に示すように、アンテナ１０１、無線通信部１０２、制御部１０３、入力制御部１０４、キー入力部１０５、音声処理部１０６、スピーカ１０７、マイク１０８、入出力制御部１０９、液晶パネル部１１０、バッテリ１１１、電源部１１２、ＬＥＤ駆動回路１１３、記憶部１１５及びタイマ１１６から構成されている。ＬＥＤ駆動回路１１３は、定電流回路１３３、１３４、１３５及び１３６を含む。制御部１０３は、取得部１３７、判断部１３８及び供給制御部１３９を含む。液晶パネル部１１０は、タッチパッド部１１０ａ、液晶表示部１１０ｂ及びバックライト１１４を含む。バックライト１１４は、ＬＥＤ１４１、１４２、１４３及び１４４を含む。電源部１１２は、電圧検出部１２１を含む。
【００１３】
携帯端末１００は、具体的には、マイクロプロセッサ、デジタル信号プロセッサ、ＲＯＭ、ＲＡＭなどを含むコンピュータシステムである。前記ＲＡＭには、コンピュータプログラムが記憶されている。各プロセッサが、前記コンピュータプログラムに従って動作することにより、携帯端末１００は、その機能を達成する。
（１）記憶部１１５
記憶部１１５は、一例として、不揮発性の半導体メモリから構成されている。
【００１４】
記憶部１１５は、制御テーブル１５１、その他のデータ、及び、アプリケーションプログラム等のコンピュータプログラムを記憶している。
制御テーブル１５１は、ＬＥＤ１４１、１４２、１４３及び１４４に流す電流値を設定するために用いられる。制御テーブル１５１は、一例として、図３に示すように、複数の制御データを含んでいる。各制御データは、識別番号、電圧値範囲及び電流値を対応付けて含む。
【００１５】
識別番号は、対応する制御データを一意に識別するための識別情報である。
電圧値範囲は、バッテリ１１１の電圧値の範囲を示す。単位は、Ｖ（ボルト）である。
電流値は、ＬＥＤ１４１、１４２、１４３及び１４４に流す電流の値を示す。単位は、ｍＡ（ミリアンペア）である。
バッテリ１１１の電圧値（現時点における負荷による電圧降下後の電圧値）が、制御テーブル１５１のいずれかの電圧値範囲内に存在する場合、その電圧値範囲に対応する電流値がＬＥＤ１４１、１４２、１４３及び１４４に流す電流の値として設定される。
【００１６】
制御テーブル１５１は、図３に示すように、一例として、複数の制御データ１６１、１７１、１８１及び１９１を記憶している。
制御データ１６１は、識別番号１６２「１」、電圧値範囲１６３「３．７６８以上」及び電流値１６４「２０」を含む。識別番号１６２「１」は、制御データ１６１を一意に識別する。電圧値範囲１６３「３．７６８以上」は、電圧値の範囲が３．７６８Ｖ以上であることを示す。電流値１６４「２０」は、ＬＥＤ１４１、１４２、１４３及び１４４に流す電流が２０ｍＡであることを示す。制御データ１６１によると、バッテリ１１１の電圧値（現時点における負荷による電圧降下後の電圧値）が、３．７６８Ｖ以上である場合、２０ｍＡの電流値がＬＥＤ１４１、１４２、１４３及び１４４に流す電流値として設定される。
【００１７】
また、制御データ１７１は、識別番号１７２「２」、電圧値範囲１７３「３．７０７〜３．７６７」及び電流値１７４「１５」を含む。識別番号１７２「２」は、制御データ１７１を一意に識別する。電圧値範囲１７３「３．７０７〜３．７６７」は、電圧値の範囲が３．７０７Ｖ以上、３．７６７Ｖ以下であることを示す。電流値１７４「１５」は、ＬＥＤ１４１、１４２、１４３及び１４４に流す電流が１５ｍＡであることを示す。制御データ１７１によると、バッテリ１１１の電圧値（現時点における負荷による電圧降下後の電圧値）が、３．７０７Ｖ以上、３．７６７Ｖ以下である場合、１５ｍＡの電流値がＬＥＤ１４１、１４２、１４３及び１４４に流す電流値として設定される。
【００１８】
また、制御データ１８１は、識別番号１８２「３」、電圧値範囲１８３「３．６５６〜３．７０６」及び電流値１８４「１３」を含む。識別番号１８２「３」は、制御データ１８１を一意に識別する。電圧値範囲１８３「３．６５６〜３．７０６」は、電圧値の範囲が３．６５６Ｖ以上、３．７０６Ｖ以下であることを示す。電流値１８４「１３」は、ＬＥＤ１４１、１４２、１４３及び１４４に流す電流が１３ｍＡであることを示す。制御データ１８１によると、バッテリ１１１の電圧値（現時点における負荷による電圧降下後の電圧値）が、３．６５６Ｖ以上、３．７０６Ｖ以下である場合、１３ｍＡの電流値がＬＥＤ１４１、１４２、１４３及び１４４に流す電流値として設定される。
【００１９】
また、制御データ１９１は、識別番号１９２「４」、電圧値範囲１９３「３．６５５〜３．４００」及び電流値１９４「１０」を含む。識別番号１９２「４」は、制御データ１９１を一意に識別する。電圧値範囲１９３「３．６５５〜３．４００」は、電圧値の範囲が３．６５５Ｖ以上、３．４００Ｖ以下であることを示す。電流値１９４「１０」は、ＬＥＤ１４１、１４２、１４３及び１４４に流す電流が１０ｍＡであることを示す。制御データ１９１によると、バッテリ１１１の電圧値（現時点における負荷による電圧降下後の電圧値）が、３．６５５Ｖ以上、３．４００Ｖ以下である場合、１０ｍＡの電流値がＬＥＤ１４１、１４２、１４３及び１４４に流す電流値として設定される。
【００２０】
次に、制御テーブル１５１に示すように、電圧値範囲及び電流値を設定する理由について、図４に示すデータテーブル２０１を用いて説明する。
データテーブル２０１は、７行のデータ列２１１、２１２、・・・、２１７を含んでいる。
第１行のデータ列２１１の各データは、電池残量をパーセントで示す。
【００２１】
第２行のデータ列２１２の各データは、実測値であり、第１行のデータ列２１１の電池残量に対応し、電力消費をする負荷がない状態における電池電圧を示す。単位は、ｍＶ（ミリボルト）である。
第３行のデータ列２１３の各データは、実測値であり、第１行のデータ列２１１の電池残量に対応し、携帯端末１００に最大の電力消費をする負荷をかけた場合における電池電圧を示す。単位は、ｍＶ（ミリボルト）である。ここで、負荷の一例は、通話、電子メールの送受信、データの送受信、ウェブブラウザ、音楽の再生、カメラによる撮影などである。また、最大の電力消費をする負荷は、携帯端末１００において、同時に使用できる負荷の組合せのうち、電力消費が最大となるものである。
【００２２】
第４行のデータ列２１４の各データは、第３行のデータ列の対応するデータと同じ値である。第４行のデータ列２１４の各データは、ＬＥＤの順電圧として示している。
第５行のデータ列２１５の各データは、ＬＥＤの順電圧−順電流特性に基づくＬＥＤの順電流を示す。第５行のデータ列２１５の各順電流は、第４行のデータ列２１４の対応する順電圧に対応している。
【００２３】
第６行のデータ列２１６の各データは、ＬＥＤに対して設定する電流値を示す。ここで、第５行のデータ列２１５の各データと、対応する第６行のデータ列２１６のデータとの差は、閾値より、小さい。また、閾値は、一例として、５．０である。
第７行のデータ列２１７の各データは、図３の制御テーブル１５１の識別番号を示す。
図４に示すように、電池残量が３０パーセントである場合、負荷無しの状態の電池電圧は、３７６８ｍＶであり、最大の電力消費をする負荷をかけた状態の電池電圧は、３５６２ｍＶである。ＬＥＤの順電圧−順電流特性に基づいて、最大の電力消費をする負荷をかけた状態の電池電圧（３５６２ｍＶ）に対する順電流は、２０．２ｍＡである。そこで、２０．２ｍＡより小さい２０．０ｍＡをＬＥＤの設定電流値とする。ここで、２０．２ｍＡと２０．０ｍＡとの差は、閾値より、小さい。
【００２４】
また、電池残量が２５パーセントである場合、負荷無しの状態の電池電圧は、３７５６ｍＶであり、最大の電力消費をする負荷をかけた状態の電池電圧は、３５４６ｍＶである。ＬＥＤの順電圧−順電流特性に基づいて、最大の電力消費をする負荷をかけた状態の電池電圧（３５４６ｍＶ）に対する順電流は、１９．８ｍＡである。そこで、１９．８ｍＡより小さい１５．０ｍＡをＬＥＤの設定電流値とする。ここで、１９．８ｍＡと１５．０ｍＡとの差は、閾値より、小さい。
【００２５】
また、電池残量が２０パーセント、及び、１５パーセントである場合、上記と同様にして、それぞれ、１５．０ｍＡをＬＥＤの設定電流値とする。
また、電池残量が１０パーセントである場合、負荷無しの状態の電池電圧は、３６７４ｍＶであり、最大の電力消費をする負荷をかけた状態の電池電圧は、３４７４ｍＶである。ＬＥＤの順電圧−順電流特性に基づいて、最大の電力消費をする負荷をかけた状態の電池電圧（３４７４ｍＶ）に対する順電流は、１５．４ｍＡである。そこで、１５．４ｍＡより小さい１３．０ｍＡをＬＥＤの設定電流値とする。ここで、１５．４ｍＡと１３．０ｍＡとの差は、閾値より、小さい。
【００２６】
また、電池残量が５パーセントである場合、上記と同様にして、１３．０ｍＡをＬＥＤの設定電流値とする。
また、電池残量が０パーセントである場合、負荷無しの状態の電池電圧は、３４００ｍＶであり、最大の電力消費をする負荷をかけた状態の電池電圧は、３３００ｍＶである。ＬＥＤの順電圧−順電流特性に基づいて、最大の電力消費をする負荷をかけた状態の電池電圧（３３００ｍＶ）に対する順電流は、１０．２ｍＡである。そこで、１０．２ｍＡより小さい１０．０ｍＡをＬＥＤの設定電流値とする。ここで、１０．２ｍＡと１０．０ｍＡとの差は、閾値より、小さい。
【００２７】
以上説明したように、各電圧値範囲について、最も小さい電流値を決定することにより、各電圧値範囲内において、電圧の変動があった場合に、ＬＥＤの光度を最も低くし、その結果、液晶表示部１１０ｂがちらついて見えることを防ぐことができる。
このようにして、各電圧値範囲について、設定電流値を決定し、図３に示す電圧値範囲毎に電流値を記憶する制御テーブル１５１を生成する。
【００２８】
（２）アンテナ１０１及び無線通信部１０２
アンテナ１０１は、無線基地局との間で無線回線を介して無線信号を送受信する。無線通信部１０２は、アンテナ１０１により送受信される無線信号の周波数選択や周波数変換等を行う。
（３）スピーカ１０７、マイク１０８、音声処理部１０６、キー入力部１０５、入力制御部１０４及びタイマ１１６
スピーカ１０７は、音声等の音響を出力する。
【００２９】
マイク１０８は、音声等の音響を入力する。
音声処理部１０６は、無線通信部１０２により受信された音声信号を復調してスピーカ１０７に対して音響信号として出力する。また、マイク１０８より入力された音響信号に対応して電気信号に変換された音声信号を変調し、無線通信部１０２により送信させる。
キー入力部１０５は、携帯端末１００をＯＮ又はＯＦＦとするための電源スイッチとしての電源キー、テンキー、その他のキーやボタンを含む。キー入力部１０５は、これらのキーやボタンが操作されると、操作されたキーやボタンに対応する操作情報を生成する。次に、キー入力部１０５は、入力制御部１０４を介して、生成した操作情報を制御部１０３に対して出力する。
【００３０】
入力制御部１０４は、キー入力部１０５と制御部１０３との間で、操作情報を中継する。
タイマ１１６は、時間の経過を計測する。
（４）液晶パネル部１１０及び入出力制御部１０９
（液晶パネル部１１０）
液晶パネル部１１０は、タッチパッド部１１０ａ、液晶表示部１１０ｂ及びバックライト１１４から構成されている。液晶表示部１１０ｂは、矩形の表示面を有し、表示面には、タッチパッド部１１０ａが取り付けられている。液晶表示部１１０ｂは、制御部１０３から、入出力制御部１０９を介して受信したアイコン等やその他のオブジェクトを含む画面を表示する。タッチパッド部１１０ａは、液晶パネル部１１０の表示面に対する操作体の接触位置を検出し、検出した接触位置を、入力信号として、入出力制御部１０９に対して出力する。
【００３１】
バックライト１１４は、液晶表示部１１０ｂの背面に設置されている。バックライト１１４は、液晶表示部１１０ｂの背面に向けて光を照射するように、４個のＬＥＤ１４１、１４２、１４３及び１４４を備えている。
ＬＥＤ１４１、１４２、１４３及び１４４は、それぞれ、対応する定電流回路１３３、１３４、１３５及び１３６から定電流の順電流を供給され、供給された順電流により発光する。
【００３２】
（入出力制御部１０９）
入出力制御部１０９は、液晶パネル部１１０と制御部１０３との間で、情報の入出力を中継する。
（５）ＬＥＤ駆動回路１１３
ＬＥＤ駆動回路１１３は、定電流回路１３３、１３４、１３５及び１３６から構成されている。
【００３３】
定電流回路１３３、１３４、１３５及び１３６は、それぞれ、電源部１１２から電力の供給を受ける。また、供給制御部１３９から電流値の指定を受け取り、受け取った電流値により示される定電流を生成し、生成した定電流を、それぞれ、ＬＥＤ１４１、１４２、１４３及び１４４に供給する。
（６）バッテリ１１１及び電源部１１２
バッテリ１１１は、充電可能な二次電池である。
【００３４】
電源部１１２は、バッテリ１１１から出力される電力を、携帯端末１００の各構成要素に供給する。また、電源部１１２は、バッテリ１１１の、現時点における負荷による電圧降下後の電圧を検出する電圧検出部１２１を備えている。電圧検出部１２１は、検出された電圧値を制御部１０３に対して出力する。
（７）制御部１０３
制御部１０３は、携帯端末１００の構成要素である無線通信部１０２、入力制御部１０４、音声処理部１０６及び入出力制御部１０９を制御する。
【００３５】
また、制御部１０３は、取得部１３７、判断部１３８及び供給制御部１３９を含んでいる。
取得部１３７は、電源部１１２の電圧検出部１２１から、バッテリ１１１の、現時点における負荷による電圧降下後の電圧値を取得する。次に、取得した電圧値を判断部１３８に対して出力する。
【００３６】
判断部１３８は、取得された前記電圧値が、記憶部１１５に記憶されている制御テーブル１５１のいずれかの電圧値範囲内に存在するか否かを判断する。
供給制御部１３９は、判断部１３８により、取得された電圧値がいずれかの電圧値範囲内に存在すると判断される場合、記憶部１１５から当該電圧値範囲に対応する電流値を読み出す。次に、読み出した前記電流値により示される定電流を、ＬＥＤ１４１、１４２、１４３及び１４４に供給するよう、定電流回路１３３、１３４、１３５及び１３６を制御する。
【００３７】
１．２  携帯端末１００の動作
ＬＥＤ１４１、１４２、１４３及び１４４に対して、定電流を供給する場合における携帯端末１００の動作について、図５に示すフローチャートを用いて説明する。
供給制御部１３９は、初期値として、ＬＥＤ１４１、１４２、１４３及び１４４に対して供給する定電流を、制御テーブル１５１の識別番号「１」に対応する電流値（２０ｍＡ）に設定する。次に、供給制御部１３９は、２０ｍＡの定電流を供給するように、定電流回路１３３、１３４、１３５及び１３６に対して、指示する。定電流回路１３３、１３４、１３５及び１３６は、それぞれ、ＬＥＤ１４１、１４２、１４３及び１４４に対して、２０ｍＡの定電流を供給する。ＬＥＤ１４１、１４２、１４３及び１４４は、それぞれ、２０ｍＡの定電流により発光する（ステップＳ１０１）。
【００３８】
制御部１０３は、タイマ１１６により、２０秒の経過をカウントする（ステップＳ１０２）。２０秒が経過していない場合（ステップＳ１０２で「ＮＯ」）、ステップＳ１０２に戻って、処理を繰り返す。
２０秒が経過した場合（ステップＳ１０２で「ＹＥＳ」）、取得部１３７は、電圧検出部１２１からバッテリ１１１の、現時点における負荷による電圧降下後の電圧値を取得することにより、読み出す（ステップＳ１０３）。
【００３９】
次に、判断部１３８は、記憶部１１５に記憶されている制御テーブル１５１から、読み出した電圧値を含む電圧値範囲を検索する（ステップＳ１０４）。
次に、供給制御部１３９は、電圧値を含む電圧値範囲が存在する場合、当該電圧値範囲に対応する電流値を制御テーブル１５１から読み出す（ステップＳ１０５）。
次に、供給制御部１３９は、ＬＥＤ１４１、１４２、１４３及び１４４に対して供給する定電流を、読み出された電流値に設定する。次に、供給制御部１３９は、読み出された電流値により示される定電流を供給するように、定電流回路１３３、１３４、１３５及び１３６に対して、指示する。定電流回路１３３、１３４、１３５及び１３６は、それぞれ、ＬＥＤ１４１、１４２、１４３及び１４４に対して、読み出された電流値により示される定電流を供給する。ＬＥＤ１４１、１４２、１４３及び１４４は、それぞれ、読み出された電流値により示される定電流により発光する（ステップＳ１０６）。
【００４０】
次に、ステップＳ１０２に戻って、処理を繰り返す。
１．３  まとめ
以上説明したように、バッテリ１１１の現時点の負荷による電圧低下を除いた電圧値の変動が選択された電圧値範囲内であれば、電流値は、一定で変動しない。このため、各ＬＥＤの光度は、変化することなく、液晶表示部１１０ｂが、ちらつくことはない。
【００４１】
２．その他の変形例
本発明について、上記の実施の形態に基づいて説明しているが、上記の実施の形態には限定されない。以下に示すようにしてもよい。
（１）上記実施の形態の変形例について説明する。
上記の実施の形態においては、一定の間隔をおいて、例えば、２０秒ごとに、バッテリ１１１の電圧値を取得する。次に、取得した電圧値に基づいて、制御テーブル１５１を用いて、ＬＥＤに流す電流値を決定している。しかし、このような方法には、限定されない。
【００４２】
例えば、２０秒ごとに３回連続してバッテリ１１１の、現時点における負荷による電圧降下後の電圧値を取得する。次に、取得された３個の電圧値が同じ電圧値範囲内に存在する場合に、制御テーブル１５１の電圧値範囲に対応する電流値により、ＬＥＤに流す電流値を決定してもよい。
以下において、ＬＥＤ１４１、１４２、１４３及び１４４に対して、定電流を供給する場合における携帯端末１００の動作について、図６に示すフローチャートを用いて説明する。
【００４３】
ここで、３個の変数として、識別番号Ｘ、識別番号Ｙ及び識別番号Ｚを、記憶部１１５に設ける。識別番号Ｘ、識別番号Ｙ及び識別番号Ｚは、それぞれ、今回の識別番号、前回の識別番号及び前々回の識別番号を記憶するために用いられる。
供給制御部１３９は、初期値として、ＬＥＤ１４１、１４２、１４３及び１４４に対して供給する定電流を、制御テーブル１５１の識別番号「１」により示される電流値（２０ｍＡ）に設定する。次に、供給制御部１３９は、２０ｍＡの定電流を供給するように、定電流回路１３３、１３４、１３５及び１３６に対して、指示する。定電流回路１３３、１３４、１３５及び１３６は、それぞれ、ＬＥＤ１４１、１４２、１４３及び１４４に対して、２０ｍＡの定電流を供給する。ＬＥＤ１４１、１４２、１４３及び１４４は、それぞれ、２０ｍＡの定電流により発光する（ステップＳ１２１）。
【００４４】
供給制御部１３９は、初期値として、識別番号Ｘ、識別番号Ｙ及び識別番号Ｚに、それぞれ、「７」、「８」及び「９」を設定する。「７」、「８」及び「９」は、識別番号として、制御テーブル１５１に存在せず、取り得ない値である。また、「７」、「８」及び「９」は、異なる値であり、識別番号Ｘ、識別番号Ｙ及び識別番号Ｚに、それぞれ、異なる値が設定される（ステップＳ１２２）。
【００４５】
制御部１０３は、タイマ１１６により、２０秒の経過をカウントする（ステップＳ１２３）。２０秒が経過していない場合（ステップＳ１２３で「ＮＯ」）、ステップＳ１２３に戻って、処理を繰り返す。
２０秒が経過した場合（ステップＳ１２３で「ＹＥＳ」）、取得部１３７は、電圧検出部１２１からバッテリ１１１の電圧値を取得することにより、読み出す（ステップＳ１２４）。
【００４６】
次に、判断部１３８は、記憶部１１５に記憶されている制御テーブル１５１から、取得された電圧値を含む電圧値範囲を検索する（ステップＳ１２５）。
次に、供給制御部１３９は、識別番号Ｙに記憶されている値を識別番号Ｚに上書きする（ステップＳ１２６）。また、識別番号Ｘに記憶されている値を識別番号Ｙに上書きする（ステップＳ１２７）。
【００４７】
次に、供給制御部１３９は、電圧値を含む電圧値範囲が存在する場合、当該電圧値範囲に対応する識別番号を制御テーブル１５１から読み出す（ステップＳ１２８）。次に、読み出した識別番号を識別番号Ｘに上書きする（ステップＳ１２９）。
次に、供給制御部１３９は、識別番号Ｘ、識別番号Ｙ及び識別番号Ｚが同一であるか否かを判断する（ステップＳ１３０）。
【００４８】
同一でない場合（ステップＳ１３０で「ＮＯ」）、ステップＳ１２３へ戻って、処理を繰り返す。
識別番号Ｘ、識別番号Ｙ及び識別番号Ｚが同一である場合（ステップＳ１３０で「ＹＥＳ」）、供給制御部１３９は、当該電圧値範囲に対応する電流値を制御テーブル１５１から読み出す（ステップＳ１３１）。
【００４９】
次に、供給制御部１３９は、ＬＥＤ１４１、１４２、１４３及び１４４に対して供給する定電流を、読み出された電流値に設定する。次に、供給制御部１３９は、読み出された電流値により示される定電流を供給するように、定電流回路１３３、１３４、１３５及び１３６に対して、指示する。定電流回路１３３、１３４、１３５及び１３６は、それぞれ、ＬＥＤ１４１、１４２、１４３及び１４４に対して、読み出された電流値により示される定電流を供給する。ＬＥＤ１４１、１４２、１４３及び１４４は、それぞれ、読み出された電流値により示される定電流により発光する（ステップＳ１３２）。
【００５０】
次に、ステップＳ１２３に戻って、処理を繰り返す。
以上説明したように、３回連続して取得したバッテリ１１１の電圧値が同じ電圧値範囲内に存在する場合に、制御テーブル１５１の電圧値範囲に対応する電流値をＬＥＤに流す電流値として、決定している。
以上説明した方法により、一時的に電池電圧が変動した場合には、ＬＥＤの電流値を変更しないようにできる。一時的な電池電圧の変動は、例えば、ウェブブラウザの一時的な使用により発生する。一方、継続して電池電圧が低下した場合に、ＬＥＤの電流値を変更する。こうして、液晶表示部１１０ｂの輝度が何度も切り替わることを防ぐことができる。
【００５１】
なお、上記のように、３回連続して電圧値を取得することには、限定されない。
２回、４回又は５回連続してバッテリ１１１の電圧値を取得してもよい。この場合、全ての電圧値が同じ電圧値範囲内に存在するとき、制御テーブル１５１の電圧値範囲に対応する電流値をＬＥＤに流す電流値として、決定してもよい。
（２）上記の実施の形態では、２０秒毎に、バッテリ１１１の電圧値を取得している。しかし、これには、限定されない。１０秒毎に、３０秒毎に、又は、１分毎に、バッテリ１１１の電圧値を取得してもよい。
【００５２】
（３）上記の実施の形態では、制御テーブル１５１は、４組の電圧値範囲及び電流値を有している。しかし、これには限定されない。制御テーブル１５１は、さらに多くの組の電圧値範囲及び電流値を有するとしてもよい。
（４）上記の実施の形態では、図２に示すように、ＬＥＤ１４１、１４２、１４３及び１４４は、ＬＥＤ駆動回路１１３から見て、並列に配置されている。
【００５３】
なお、携帯端末１００においては、ＬＥＤ１４１、１４２、１４３及び１４４を直列に接続することはない。例えば、４個のＬＥＤを直列に接続すると、各ＬＥＤが３．３Ｖの電圧を必要とするなら、全体で、１３．２Ｖ（３．３Ｖ×４）の電圧を要する。これは、バッテリ１１１が出力できる電圧を超えている。
（５）電圧検出部１２１は、バッテリ１１１の、現時点における負荷による電圧降下前の電圧値を検出してもよい。この場合、判断部１３８は、電圧検出部１２１により検出された電圧値に、現時点の使用状況に応じた負荷による電圧差分値を加算して、電圧値を算出する。これにより、現時点における負荷による電圧降下後の電圧値が算出される。次に、判断部１３８は、記憶部１１５に記憶されている制御テーブル１５１から、算出された電圧値を含む電圧値範囲を検索する。
【００５４】
（６）上記の実施の形態では、バックライト１１４は、液晶表示部１１０ｂの背面に設置されている。しかし、このような配置には、限定されない。
導光板、導光筺体、導光管等が液晶表示部１１０ｂの背面に配置されてもよい。バックライト１１４は、導光板、導光筺体、導光管等を介して、液晶表示部１１０ｂの背面に光を照射する。
【００５５】
（７）上述したように、本発明の携帯端末は、マイクロプロセッサとメモリとを備えたコンピュータシステムである。前記メモリは、コンピュータプログラムを記憶しており、前記マイクロプロセッサは、前記コンピュータプログラムに従って動作する。
ここで、コンピュータプログラムは、所定の機能を達成するために、コンピュータに対する指令を示す命令コードが複数個組み合わされて構成されたものである。
【００５６】
また、前記コンピュータプログラムは、コンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ブルーレィディスク、半導体メモリなどに記録されている、としてもよい。
また、前記コンピュータプログラムを、電気通信回線、無線又は有線通信回線、インターネットを代表とするネットワーク、データ放送等を経由して伝送するとしてもよい。
【００５７】
また、前記コンピュータプログラムを前記記録媒体に記録して移送してもよい。又は、前記コンピュータプログラムを、ネットワーク等を経由して、移送してもよい。こうして、前記コンピュータプログラムを、独立した他のコンピュータシステムにより実行する。
（８）上記実施の形態及び上記変形例をそれぞれ組み合わせる、としてもよい。
【産業上の利用可能性】
【００５８】
本発明にかかるＬＥＤの駆動装置は、昇圧回路を設けることなく、表示部のちらつきを防止することができる。このため、携帯端末の表示部にバックライトとして光を照射するＬＥＤを駆動制御する技術として有用である。
【符号の説明】
【００５９】
１００    携帯端末
１０１    アンテナ
１０２    無線通信部
１０３    制御部
１０４    入力制御部
１０５    キー入力部
１０６    音声処理部
１０７    スピーカ
１０８    マイク
１０９    入出力制御部
１１０    液晶パネル部
１１０ａ  タッチパッド部
１１０ｂ  液晶表示部
１１１    バッテリ
１１２    電源部
１１３    ＬＥＤ駆動回路
１１４    バックライト
１１５    記憶部
１１６    タイマ
１２１    電圧検出部
１３３、１３４、１３５、１３６    定電流回路
１３７    取得部
１３８    判断部
１３９    供給制御部
１４１、１４２、１４３、１４４    ＬＥＤ
【図１】
2015171047.tif 000003
【図２】
2015171047.tif 000004
【図３】
2015171047.tif 000005
【図４】
2015171047.tif 000006
【図５】
2015171047.tif 000007
【図６】
2015171047.tif 000008
【図７】
2015171047.tif 000009